(57)【特許請求の範囲】
【請求項１】
脇寄り部分から中間部分を経て前中心寄り部分にかけて凹型に湾曲した上縁湾曲部を有する土台部と、
脇寄り部分から中間部分を経て前中心寄り部分にかけて凸型に湾曲した下縁湾曲部を有するカップ部と、
を備え、
平面に配置した状態での前記土台部の少なくとも前記中間部分における前記上縁湾曲部の曲率半径は、カップ形状を成す状態での前記カップ部の少なくとも前記中間部分における前記下縁湾曲部の曲率半径と同等もしくは大きくされ、
前記土台部の上縁湾曲部と前記カップ部の下縁湾曲部が互いに縫着されていることを特徴とするカップ付き女性用衣類。
【請求項２】
平面に配置した状態での前記土台部の少なくとも前記中間部分と前記脇寄り部分における前記上縁湾曲部の曲率半径は、カップ形状を成す状態での前記カップ部の少なくとも前記中間部分と前記脇寄り部分における前記下縁湾曲部の曲率半径と同等もしくは大きくされていることを特徴とする請求項１記載のカップ付き女性用衣類。
【請求項３】
脇寄り部分から中間部分を経て前中心寄り部分にかけて凹型に湾曲した上縁湾曲部を有する土台部と、
脇寄り部分から中間部分を経て前中心寄り部分にかけて凸型に湾曲した下縁湾曲部を有するカップ部と、
を備え、
カップ形状を成す状態での前記カップ部の曲面形状に沿って前記土台部を配置した状態での少なくとも前記中間部分における前記上縁湾曲部の曲率半径は、カップ形状を成す状態での前記カップ部の少なくとも前記中間部分における下縁湾曲部の曲率半径と同等もしくは大きくされ、
前記土台部の上縁湾曲部と前記カップ部の下縁湾曲部が互いに縫着されていることを特徴とするカップ付き女性用衣類。
【請求項４】
カップ形状を成す状態での前記カップ部の曲面形状に沿って前記土台部を配置した状態での少なくとも前記中間部分と前記脇寄り部分における前記上縁湾曲部の曲率半径は、カップ形状を成す状態での前記カップ部の少なくとも前記中間部分と前記脇寄り部分における下縁湾曲部の曲率半径と同等もしくは大きくされていることを特徴とする請求項３記載のカップ付き女性用衣類。
【請求項５】
カップ形状を成すように立体成型され、凸型に湾曲した下縁湾曲部を有するカップ部と、
凹型に湾曲した上縁湾曲部を有し、前記カップ部の曲面形状に沿って配置した状態での前記上縁湾曲部の曲率半径が、前記カップ部の前記下縁湾曲部の曲率半径と同等もしくは大きくされた土台部と、
を備え、
前記土台部の上縁湾曲部と前記カップ部の下縁湾曲部が互いに縫着されていることを特徴とするカップ付き女性用衣類。
【請求項６】
カップ形状を成すように立体成型され、凸型に湾曲した下縁湾曲部を有するカップ部と、
凹型に湾曲した上縁湾曲部を有し、前記カップ部の下縁湾曲部が当該上縁湾曲部に縫着された土台部と、
を備え、
前記カップ部の下カップ領域の曲面形状と、前記土台部のカップ下領域の曲面形状とが、少なくとも脇寄り部分と前中心寄り部分に挟まれた中間部分で滑らかに連続していることを特徴とするカップ付き女性用衣類。
【請求項７】
前記カップ部の下カップ領域の曲面形状と、前記土台部のカップ下領域の曲面形状とが、少なくとも前中心寄り部分から脇側の中間部分と脇寄り部分で滑らかに連続していることを特徴とする請求項６記載のカップ付き女性用衣類。
【請求項８】
前記土台部は左右一対の伸縮性を有する土台布を前中心で互いに縫着して形成されていることを特徴とする請求項１ないし８のいずれか記載のカップ付き女性用衣類。
【請求項９】
前記カップ部の下縁湾曲部と前記土台部の上縁湾曲部が直接に縫着されたノンワイヤー型であることを特徴とする請求項１ないし９のいずれか記載のカップ付き女性用衣類。
【発明の詳細な説明】
【０００１】
【発明の属する技術分野】
本発明は、ブラジャーのようなカップ付き女性用衣類に関し、好適にはワイヤーを有しないノンワイヤー型のカップ付き女性用衣類に適用される。
【０００２】
【従来の技術】
カップ付き女性用衣類の代表例は、ファンデーション衣類としてのブラジャーである。このようなブラジャーでは、バストの「寄せ」機能と「上げ」機能が重視されるが、このような機能を好適に奏するものとしてワイヤーフォーム型ブラジャーが広く利用されている。
【０００３】
一方、プラスチック等からなるワイヤーを有しないノンワイヤー型も広く知られており、このようなブラジャーはカップ（上カップ、下カップ）、肩ストラップ、土台（前中心を含む）、バックの各パーツから構成されている。ここで、土台はカップの底辺部をカバーし、カップの造形性や保形性、安定性を効果的に発揮する役割を持っている。そして、土台とカップは互いに縫着され、着用前の自然状態において着用者のバスト下部近傍（いわゆるバージスライン近傍）と類似の形状を成し、着用者のバストに優しくフィットし、着心地の良さをもたらしている。
【０００４】
【発明が解決しようとする課題】
しかし、従来のノンワイヤー型はワイヤーフォーム型に比べて保形性が劣るという欠点がある。具体的には、ノンワイヤー型ブラジャーを着用する時には、土台布が着用者の体幹（バージスを含む）に密着した状態から、カップ部がバック布によって横方向に引かれて潰れた状態に変化する。そのため、カップ部の上辺の押えが弱くなり、トップから上カップの部分が着用者のバストから浮いたり皺が生じたりする等、カップ部の造形性や保形性が低下する欠点があった。
【０００５】
本発明は、このような課題を解決したカップ付き女性用衣類を提供することを目的とする。
【０００６】
【課題を解決するための手段】
第１発明に係るカップ付き女性用衣類は、脇寄り部分から中間部分を経て前中心寄り部分にかけて凹型に湾曲した上縁湾曲部を有する土台部と、脇寄り部分から中間部分を経て前中心寄り部分にかけて凸型に湾曲した下縁湾曲部を有し、カップ形状を成すように立体成型されたカップ部と、を備え、平面に配置した状態での土台部の少なくとも中間部分（望ましくは中間部分と脇寄り部分）における上縁湾曲部の曲率半径は、カップ形状を成す状態でのカップ部の少なくとも中間部分における下縁湾曲部の曲率半径と同等もしくは大きくされ、土台部の上縁湾曲部とカップ部の下縁湾曲部が互いに縫着されていることを特徴とする。
【０００７】
また、第２発明に係るカップ付き女性用衣類は、脇寄り部分から中間部分を経て前中心寄り部分にかけて凹型に湾曲した上縁湾曲部を有する土台部と、脇寄り部分から中間部分を経て前中心寄り部分にかけて凸型に湾曲した下縁湾曲部を有し、カップ形状を成すように立体成型されたカップ部と、を備え、カップ形状を成す状態でのカップ部の曲面形状に沿って土台部を配置した状態での少なくとも中間部分（望ましくは中間部分と脇寄り部分）における上縁湾曲部の曲率半径は、カップ形状を成す状態でのカップ部の少なくとも中間部分における下縁湾曲部の曲率半径と同等もしくは大きくされ、土台部の上縁湾曲部とカップ部の下縁湾曲部が互いに縫着されていることを特徴とする。
【０００８】
第１、第２発明に係るカップ付き女性用衣類によれば、カップ形状を成す状態でのカップ部の延長線（延長面）上または近傍に、土台部の少なくとも中間部分（望ましくは中間部分と脇寄り部分）が位置するので、着用に際して土台部を左右に引く前の状態では、特にバージスに相当する部分（概ね土台部とカップ部の縫着線上）において着用者の体から大きく離れているが、着用に際して土台部が左右に引かれると上記縫着線上または近傍で着用者側に折れ曲がる。このため、着用中は平面に戻ろうとする力が働き、バストをカップ部の下側から持ち上げる作用が生じる。よって、土台部を横方向に引く力を、カップ部を上方に持ち上げる力に変換しているので、快適な着用感を維持しながら、優れたバストの造形性と保形性を実現できる。
【０００９】
更に、第３発明に係るカップ付き女性用衣類は、カップ形状を成すように立体成型され、凸型に湾曲した下縁湾曲部を有するカップ部と、凹型に湾曲した上縁湾曲部を有し、カップ部の曲面形状に沿って配置した状態での上縁湾曲部の曲率半径が、カップ部の下縁湾曲部の曲率半径と同等もしくは大きくされた土台部と、を備え、土台部の上縁湾曲部とカップ部の下縁湾曲部が互いに縫着されていることを特徴とする。
【００１０】
第３発明に係るカップ付き女性用衣類によれば、カップ形状を成す状態でのカップ部の延長線（延長面）上または近傍に土台部が位置するので、着用前に着用者の体から離れていた土台部とカップ部の境界部が、着用に際して土台部が左右に引かれると着用者側に折れ曲がる。このため、着用中は平面に戻ろうとする力が働き、バストをカップ部の下側から持ち上げる作用が生じるので、土台部を横方向に引く力をカップ部を上方に持ち上げる力に変換できる。
【００１１】
更に、第４発明に係るカップ付き女性用衣類は、カップ形状を成すように立体成型され、凸型に湾曲した下縁湾曲部を有するカップ部と、凹型に湾曲した上縁湾曲部を有し、カップ部の下縁湾曲部が当該上縁湾曲部に縫着された土台部と、を備え、カップ部の下カップ領域の曲面形状と、土台部のカップ下領域の曲面形状とが、少なくとも脇寄り部分と前中心寄り部分に挟まれた中間部分（望ましくは中間部分と脇寄り部分）で滑らかに連続していることを特徴とする。
【００１２】
第４発明に係るカップ付き女性用衣類によれば、カップ部の下カップ領域と土台部のカップ下領域とが、少なくとも中間部分で滑らかに連続しているので、着用に際して土台部が左右に引かれると、土台部とカップ部の境界部が着用者側に折れ曲がる。このため、土台部を横方向に引く力をカップ部を上方に持ち上げる力に変換できる。
【００１３】
なお、第１、第２、第３および第４発明に係るカップ付き女性用衣類において、土台部は伸縮性を有する左右一対の土台布を前中心で互いに縫着して形成されていることを特徴としても良く、カップ部の下縁湾曲部と土台部の上縁湾曲部が直接に縫着されたノンワイヤー型であることが特に好ましい。
【００１４】
【発明の実施の形態】
以下、本発明の実施形態を図面に基づき説明する。なお、同一要素には同一符号を付し、重複する説明を省略する。
【００１５】
図１、２は実施形態のノンワイヤー型ブラジャーを示し、図１は斜め下側から見た自然状態（非着用状態）での斜視図、図２は斜め横側から見た着用状態の斜視図である。このブラジャーは、左右一対のカップ部１と、前中心部から脇布部までを含む土台部２と、土台部２の背側に続くバック部３と、カップ部１の上縁部とバック部３の間に掛け渡された肩ストラップ４と、を主要なパーツとして構成されている。なお、伸縮性（特に左右に引く方向の伸縮性）を有するバック部３の背中の部分には、係脱自在のホック５が取り付けられている。
【００１６】
ここで、カップ部１は上カップ１１と下カップ１２を接ぎ線で縫着することにより、丸みを帯びた円錐形に類似のカップ形状に立体成型されている（図１参照）。立体成型されたカップ部１は、脇寄り部分から中間部分を経て前中心寄り部分にかけて凸型に湾曲した下縁湾曲部（下カップ１２の下縁部）を有しているが、いわゆるワイヤーは有していない。
【００１７】
土台部２は伸縮性（特にバック部３によって左右に引かれる方向の伸縮性）を有する織布や編布のような素材を含んで形成され、前中心で左右のパーツが互いに縫着されて左右一体の土台部２を構成している。土台部２は着用者のバスト下部（いわゆるバージスラインの下部）にフィットするように、脇寄り部分から中間部分を経て前中心寄り部分にかけて凹型に湾曲した上縁湾曲部を有している。そして、この土台部２の上縁湾曲部がカップ部１の下縁湾曲部と対向し、互いに縫着されている。
【００１８】
更に、カップ部１の脇寄り部分から土台部２の脇下部分に沿って、平板状で可撓性を有するプラスチック製のボーン部材６１が縫い込んで設けられている。このボーン部材６１の上端は上カップ１１と下カップ１２の接ぎの部分に位置し、下端は土台部２のアンダーテープ２１の部分に届いている。また、土台部２の脇部分を縦方向に横断するように、別のボーン部材６２が設けられている。これらボーン部材６１，６２は脇寄せ機能を好適に発揮するが、特にボーン部材６１は自然状態において。カップ部１の脇寄り部分から土台部２の脇下部分が滑らかに連続するのをサポートしている。
【００１９】
肩ストラップ４は織布のような布地を成形、縫製して形成され、カップ部１とバック部３の間に掛け渡されている。すなわち、肩ストラップ４の一端はカップ部１の上縁部に縫着等で取り付けられ、他端はバック部３に縫着等で取り付けられる。
【００２０】
図１，２に示される実施形態のブラジャーは、このカップ部１の下縁湾曲部の形状と土台部２の上縁湾曲部の形状との相関関係に特徴があり、これを説明するために図３を参照する。
【００２１】
図３は従来のブラジャーを平面に配置した状態の斜視図であり、カップ形状を成すように立体成型された左右一対のカップ部１は、その下縁湾曲部において土台部２の上縁湾曲部に縫着されている。図３に示す従来のブラジャーの自然状態は、実施形態に係るブラジャーの自然状態（図１の状態）とは形態（姿態）が根本的に相違する。
【００２２】
すなわち、カップ部１と土台部２を縫着する前の状態において、図３の従来品（ブラジャー）を平面に配置した状態の土台部２の上縁湾曲部の曲率半径は、カップ形状を成す状態におけるカップ部１の下縁湾曲部の曲率半径より小さくなっている。したがって、カップ部１と土台部２を縫着した後には、土台部２を平面配置した状態から多少とも反り返った状態が自然状態となり、この状態においてカップ部１の裾部分（下カップ１２の領域）における斜面（曲面）と土台部２のカップ下領域の面が滑らかに連続することなく一定の角度（概ね２０〜７０度）で交叉し、カップ部１と土台部２の縫着線近傍でくびれ（括れ）ることになる。
【００２３】
これに対し、実施形態に係るブラジャーの自然状態は図１の状態であり、土台部２を平面配置するとカップ部１は元来のカップ形状を維持できない。すなわち、着用前の図１に示されるように、カップ部１の下カップ領域の曲面形状と、土台部２のカップ下領域の曲面形状とが、脇寄り部分と中間部分（前中心寄り部分を除く脇側の部分）で滑らかに連続しており、カップ部１と土台部２の縫着線近傍に括れや不連続な屈曲、折曲がない。
【００２４】
実施形態に係るブラジャーは、着用後の状態では図３に示されるようにカップ部１と土台部２の縫着線近傍に括れや不連続な屈曲、折曲が生じる。この理由（仕組み）は、概ね下記の通りである。
【００２５】
まず、自然状態でカップ形状を成すようにしたカップ部１の下カップ１２の延長線（延長面）上には、土台部２の中間部分と脇寄り部分が位置しているので、着用に際して土台部２を左右に引く前の状態では、特にバージスに相当する部分（概ねカップ部１と土台部２の縫着線上）においてブラジャーは着用者の体から離れている。これは、着用者のバスト下部が括れているのに対し、ブラジャーの当該部分は実施形態では滑らかに連続する曲面形状となっているからである。
【００２６】
しかし、着用に際して土台部が左右に引かれると、カップ部１と土台部２の縫着線上または近傍でブラジャーは着用者側に折れ曲がる。言い換えると、滑らかに連続する曲面形状のものが、バージスラインに沿って逆「く」の字型に折れ曲がる。このため、着用中は滑らかに連続する曲面形状に戻ろうとする力がカップ部１と土台部２に働き、バストを下側から持ち上げる作用が生じる。つまり、実施形態では土台部２を横方向に引く力をカップ部１に伝達し、バストを上方に持ち上げる力に変換しているので、快適な着用感を維持しながら、優れたバストの造形性と保形性を実現できる。
【００２７】
図４、図５は上記の実施形態の作用を従来例と対比して説明する図であり、図４は従来例、図５は実施形態を示している。また、図４（Ａ)及び図５（Ａ）はブラジャーを側面方向から見た図であって、点線は土台部２を左右に引く前の状態、実線は着用して土台部２を左右に引いた後の状態を示している。図４（Ｂ) 、（Ｃ）及び図５（Ｂ）、（Ｃ）はブラジャーを正面方向から見た図であって、白抜き矢印はカップ部１と土台部２の自然状態における折れ曲がり（括れ）の状態を示している。
【００２８】
具体的には、図４（Ｂ)の従来例では、カップ部１と土台部２の境界における湾曲部で、脇寄り部分から中間部分を経て前中心寄り部分に至る全ての範囲で折れ曲がっている。また、従来例に関する図４（Ｃ）の例では、湾曲部の中間部分と前中心寄り部分でカップ部１と土台部２の境界ラインが折れ曲がる一方、脇寄り部分で不連続に折れ曲がることなく滑らかに連続している。
【００２９】
これに対し、実施形態に関する図５（Ｂ）の例では、湾曲部の脇寄り部分から中間部分を経て前中心寄り部分に至る全ての範囲で、カップ部１と土台部２の境界ラインが折れ曲がることなく滑らかに連続している。また、実施形態に関する図５（Ｃ）の例では、湾曲部の中間部分でカップ部１と土台部２の境界ラインが折れ曲がることなく滑らかに連続する一方、脇寄り部分と前中心寄り部分で不連続に折れ曲がっている。
【００３０】
また、別の実施形態に関する図６（Ｂ）の例では、湾曲部の脇寄り部分から中間部分に至る範囲で、カップ部１と土台部２の境界ラインが折れ曲がることなく滑らかに連続しているが、前中心寄り部分では境界ラインが折れ曲がっている。また、実施形態に関する図６（Ｃ）の例では、湾曲部の中間部分でカップ部１と土台部２の境界ラインが反対向きに折れ曲がる（境界ラインが着用者の体より浮き上がる方向に折れ曲がる）一方、脇寄り部分と前中心寄り部分では折れ曲がることなくストレートに延びている。
【００３１】
図４（Ａ）に示す従来のブラジャーでは、着用前（点線）にはカップ部１と土台部２の境界ライン（図中に矢印Ｌで示す）で身体側に折れ曲がっている。着用後に土台部２を左右に引っ張った状態では、図中に実線で示すように形状が変化し、境界ラインＬでの折れ曲がりが大きくなる。つまり、土台部２が着用者の体幹（バージスを含む）に密着した状態から、カップ部１がバック布によって横方向に引かれて潰れた状態に変化する。そのため、従来例ではカップ部１の上辺の押えが強くなり、トップ（カップ部１の頂部）から上カップ１１の部分が着用者のバストから浮いたり皺が生じたりする等、カップ部１の造形性や保形性が低下する欠点があった。また、個々人の体型に合わせ難い欠点もあった。
【００３２】
図５（Ａ）に示す実施形態のブラジャーでは、着用前（点線）にはカップ部１と土台部２の境界ラインで身体側に折れ曲がることなく、滑らかに連続している。すなわち、カップ形状を成す状態でのカップ部１（下カップ１２）の延長線（延長面）上または近傍に、土台部２が位置している。このため、着用に際して土台部２を左右に引く前の状態では、特にバージスに相当する土台部２とカップ部１の縫着線（境界ラインＬ）上において、ブラジャーの布地は着用者の体から浮き上がって大きく離れている。
【００３３】
ところが、着用に際して土台部２が左右に引かれると、縫着線上または近傍でブラジャーの布地は着用者側に折れ曲がる（実線で図示）。つまり、実施形態のブラジャーを着用すると、滑らかに連続する曲面形状の境界ラインＬ近傍が、逆「く」の字型に折れ曲がる。このため、着用中は滑らかに連続する曲面形状に戻ろうとする力が働き、バストをカップ部１の下側から持ち上げる作用が生じる。つまり、伸縮性を有する土台部２を横方向に引く力を、カップ部１を上方に持ち上げる力に変換しているので、快適な着用感を維持しながら、優れたバストの造形性と保形性を実現できる。また、従来のブラジャーではサイズ毎に決まった（予め決められた）バージスを創ることとなるが、本実施形態では土台部２を左右に引くことでブラジャーが変形し、個々人の体型に見合った綺麗なバージスを創る効果がある。
【００３４】
図６（Ａ）に示す別の実施形態のブラジャーでは、着用前（点線）にはカップ部１と土台部２の境界ラインで身体側から離れる方向に折れ曲がっている。すなわち、カップ形状を成す状態でのカップ部１（下カップ１２）の延長線（延長面）の着用者側に、土台部２が位置している。このため、着用に際して土台部２を左右に引く前の状態では、特にバージスに相当する土台部２とカップ部１の縫着線（境界ラインＬ）上において、ブラジャーの布地は着用者の体から浮き上がって大きく離れている。
【００３５】
ところが、着用に際して土台部２が左右に引かれると、縫着線上または近傍でブラジャーの布地は着用者側に折れ曲がる（実線で図示）。つまり、実施形態のブラジャーを着用すると、身体側から離れるように折れ曲がって連続する曲面形状の境界ライン近傍が、逆「く」の字型に折れ曲がる。このため、着用中は反対方向に折れ曲がった曲面形状に戻ろうとする力が働き、バストをカップ部１の下側から持ち上げる作用が生じる。つまり、伸縮性を有する土台部２を横方向に引く力を、カップ部１を上方に持ち上げる力に変換しているので、快適な着用感を維持しながら、優れたバストの造形性と保形性を実現できる。また、従来のブラジャーではサイズ毎に決まった（予め決められた）バージスを創ることとなるが、本実施形態では土台部２を左右に引くことでブラジャーが変形し、個々人の体型に見合った綺麗なバージスを創る効果がある。
【００３６】
図７〜９は実施形態に係るノンワイヤー型ブラジャーの第１〜３態様を示し、図７はフルカップ、図８は３／４カップ、図９はハーフカップに対応する。また、各図（Ａ）は自然状態（着用していない状態）の斜視図であり、いずれの態様のブラジャーでも、前中心寄り部分を除く中間部分と脇寄り部分において、下カップ１２は土台部２に滑らかに連続している。
【００３７】
図７〜９の各図（Ｂ）は、上カップ１１及び下カップ１２のパターン図であり、互いに接ぎ線で縫着されてカップ形状を成すように立体成型される。そして、カップ部１は脇寄り部分から中間部分を経て前中心寄り部分にかけて凸型に湾曲した下縁湾曲部（図中のＰ1〜Ｐ2）を有し、これはカップ形状を呈する自然状態において一定の曲率半径を有することになる。
【００３８】
図７〜９の各図（Ｃ）は、土台部２からバック部３に至る布地のパターン図であり、一点鎖線は従来例、実線は実施形態に対応する。図示の通り、脇寄り部分から中間部分を経て前中心寄り部分にかけて、土台部２は凹型に湾曲した上縁湾曲部（図中のＱ1〜Ｑ2、Ｒ1〜Ｒ2）を有する。そして、一点鎖線で示される従来例の上縁湾曲部（図中のＱ1〜Ｑ2）は、例えば平面に配置された状態において一定の曲率半径を有し、実線で示される実施形態の上縁湾曲部（図中のＲ1〜Ｒ2）は、例えばカップ部１（特に下カップ１２）に沿う曲面に配置された状態において一定の曲率半径を有することになる。
【００３９】
したがって、図７〜９の各図（Ｂ),（Ｃ）から、従来例と本発明の特徴的相違点として、次の点（第１の相違点）を理解することができる。
【００４０】
まず、従来例のブラジャーでは、平面に配置した状態における土台部２の上縁湾曲部（図中のＱ1〜Ｑ2）の曲率半径は、カップ形状を成す状態におけるカップ部１の下縁湾曲部（図中のＰ1〜Ｐ2）の曲率半径より小さくされ、土台部２の上縁湾曲部とカップ部１の下縁湾曲部が互いに縫着されている。
【００４１】
これに対し、実施形態のブラジャーでは、平面に配置した状態での土台部２の少なくとも中間部分（望ましくは中間部分と脇寄り部分）における上縁湾曲部（図中のＲ1〜Ｒ2）の曲率半径は、カップ形状を成す状態でのカップ部１の少なくとも中間部分（望ましくは中間部分と脇寄り部分）における下縁湾曲部（図中のＰ1〜Ｐ2）の曲率半径よりも大きくされ、土台部２の上縁湾曲部とカップ部１の下縁湾曲部が互いに縫着されている。
【００４２】
また、図７〜９の各図（Ｂ),（Ｃ）から、従来例と本発明の特徴的相違点として、次の点（第２の相違点）を理解することができる。
【００４３】
まず、従来例のブラジャーでは、カップ形状を成す状態でのカップ部１の曲面形状に沿って土台部２を配置した状態における上縁湾曲部（図中のＱ1〜Ｑ2）の曲率半径は、カップ形状を成す状態でのカップ部の下縁湾曲部（図中のＰ1〜Ｐ2）の曲率半径より小さくされ、土台部２の上縁湾曲部とカップ部２の下縁湾曲部が互いに縫着されている。
【００４４】
これに対し、実施形態のブラジャーでは、カップ形状を成す状態でのカップ部の曲面形状に沿って土台部２を配置した状態での少なくとも中間部分（望ましくは中間部分と脇寄り部分）における上縁湾曲部（図中のＲ1〜Ｒ2）の曲率半径は、カップ形状を成す状態でのカップ部１の少なくとも中間部分（望ましくは中間部分と脇寄り部分）における下縁湾曲部（図中のＰ1〜Ｐ2）の曲率半径と同等もしくは大きくされ、土台部２の上縁湾曲部とカップ部１の下縁湾曲部が互いに縫着されている。
【００４５】
本発明は、上記の実施形態や変形例に限らず、種々の態様が可能である。
例えば、ファンデーション衣類としてのブラジャー以外にも、カップ部と土台部を備えるものには適用できる。また、前中心を係脱自在のホックで連結するフロントホック型ブラジャーにも適用できる。
【００４６】
【発明の効果】
本発明のカップ付き女性用衣類によれば、土台部を横方向に引く力をカップ部を上方に持ち上げる力に変換できるので、美麗なバストラインを創造しつつ、ノンワイヤー型に特有の優れた着用感を実現することができる。
【図面の簡単な説明】
【図１】実施形態に係るノンワイヤー型ブラジャーの斜視図である。
【図２】図１のブラジャーの着用状態における斜視図である。
【図３】従来のブラジャーの構成を説明する斜視図である。
【図４】別の従来のブラジャーの機能を説明する図である。
【図５】実施形態のブラジャーの機能を説明する図である。
【図６】別の実施形態のブラジャーの機能を説明する図である。
【図７】実施形態のブラジャーの第１態様を説明する図である。
【図８】実施形態のブラジャーの第２態様を説明する図である。
【図９】実施形態のブラジャーの第３態様を説明する図である。
【符号の説明】
１…カップ部、１１…上カップ、１２…下カップ、２…土台部、３…バック部、４…肩ストラップ、５…ホック、６１，６２…可撓性のボーン部材。
【図１】
0004713787.tif 000002
【図２】
0004713787.tif 000003
【図３】
0004713787.tif 000004
【図４】
0004713787.tif 000005
【図５】
0004713787.tif 000006
【図６】
0004713787.tif 000007
【図７】
0004713787.tif 000008
【図８】
0004713787.tif 000009
【図９】
0004713787.tif 000010